(57)【要約】      （修正有）【課題】発光装置間で互いに通信可能な照明システムを提供する。【解決手段】照明システムであって、第１発光装置グループＳ１、第２発光装置グループＳ２、およびブルートゥース序列制御装置Ｂ１を含み、第１発光装置グループＳ１の複数の発光装置Ｓ１−１〜Ｓ１−１２の複数の序列コントロールユニットのうちの一つが第１通信経路Ｐ１を通じて第２発光装置グループＳ２の複数の発光装置Ｓ２−１〜Ｓ２−１２の複数の序列コントロールユニットのうちの一つと接続する。第１発光装置グループＳ１の複数の発光装置Ｓ１−１〜Ｓ１−１２の複数の序列コントロールユニットのうちの一つが第２通信経路Ｐ２を通じて第２発光装置グループＳ２の複数の発光装置Ｓ２−１〜Ｓ２−１２の複数の序列コントロールユニットのうちの一つと接続する。【選択図】図３
0003222388.tif 000002
【実用新案登録請求の範囲】
【請求項１】
複数の発光装置を含み、前記発光装置ごとに少なくとも一つの序列コントロールユニットを含む、第１発光装置グループと、
複数の発光装置を含み、前記発光装置ごとに少なくとも一つの序列コントロールユニットを含む、第２発光装置グループと、
前記第１発光装置グループにおける前記複数の発光装置の前記複数の序列コントロールユニットと電気的に接続し、前記第２発光装置グループにおける前記複数の発光装置の前記複数の序列コントロールユニットと電気的に接続するブルートゥース序列制御装置と、
を含み
前記第１発光装置グループにおける前記複数の発光装置の前記複数の序列コントロールユニットのうちの一つが、第１通信経路を通じて前記第２発光装置グループの前記複数の発光装置の前記複数の序列コントロールユニットのうちの一つと接続され、
前記第１発光装置グループにおける前記複数の発光装置の前記複数の序列コントロールユニットのうちの一つが、第２通信経路を通じて前記第２発光装置グループの前記複数の発光装置の前記複数の序列コントロールユニットのうちの一つと接続される、ことを特徴とする、照明システム。
【請求項２】
前記第１発光装置グループおよび前記第２発光装置グループのそれぞれにおける前記複数の発光装置の前記序列コントロールユニットが、前記第１通信経路および前記第２通信経路によって通信接続を行う、請求項１に記載の照明システム。
【請求項３】
前記第１発光装置グループおよび前記第２発光装置グループにおける前記複数の発光装置は、循環方式によって通信接続を行う、請求項１に記載の照明システム。
【請求項４】
前記発光装置ごとに、
前記序列コントロールユニットと電気的に接続される処理ユニットと、前記序列コントロールユニットと電気的に接続される駆動ユニットと、処理ユニット及び駆動ユニットに電気的に接続される電源ユニットとを含む、序列駆動モジュールと、
複数の発光ダイオードユニットおよび回路基板を含む照明器具モジュールと、
をさらに含み、
前記照明器具モジュールは、前記駆動ユニットに電気的に接続される、請求項１に記載の照明システム。
【請求項５】
前記第１発光装置グループにおける前記複数の発光装置の前記序列コントロールユニットは、前記第１通信経路を通じて第１順序または第２順序に従って信号を伝送する、請求項２に記載の照明システム。
【請求項６】
前記第１順序と前記第２順序とが逆の順次である請求項５に記載の照明システム。
【考案の詳細な説明】
【技術分野】
【０００１】
本考案は照明システムに関するものであり、特に発光装置の間が互いに通信可能な照明システムに関するものである。
【背景技術】
【０００２】
現在、発光ダイオード照明器具が普及しつつあり、しかし、発光ダイオード照明器具の制御方式或いは調光方式は単一の通信経路に限られている。もしこの単一の通信経路が遮断され或いは損なわれれば、制御信号或いは調光信号はそれぞれの発光ダイオード照明器具に伝送されることができなくなる。
【０００３】
従って、ただ単一の通信経路があることに留まらない照明システムを如何に提供するかは明らかに業界での一つの重要な課題になっている。
【考案の概要】
【０００４】
上述した事情に鑑みて、本考案は照明システムを提供する。該照明システムは、複数の発光装置を含み、発光装置ごとに少なくとも一つの序列コントロールユニットを含む第１発光装置グループと、複数の発光装置を含み、発光装置ごとに少なくとも一つの序列コントロールユニットを含む第２発光装置グループと、およびブルートゥース序列制御装置と、を含む。ブルートゥースは登録商標である。前記第１発光装置グループの前記複数の発光装置の前記複数の序列コントロールユニットが前記ブルートゥース序列制御装置を電気的に接続し、前記第２発光装置グループの前記複数の発光装置の前記複数の序列コントロールユニットが前記ブルートゥース序列制御装置と電気的に接続する。前記第１発光装置グループの前記複数の発光装置の前記複数の序列コントロールユニットのうちの一つが第１通信経路を通じて前記第２発光装置グループの前記複数の発光装置の前記複数の序列コントロールユニットのうちの一つと接続する。前記第１発光装置グループの前記複数の発光装置の前記複数の序列コントロールユニットのうちの一つが第２通信経路を通じて前記第２発光装置グループの前記複数の発光装置の前記複数の序列コントロールユニットのうちの一つと接続する。
【０００５】
上述したように、本考案は発光装置の序列コントロールユニットによって通信接続を行い、そして二つの通信経路が設けられている。もし一つの通信経路が遮断され或いは損害されれば、もう一つの通信経路がこれにかわって使われることができ、また有効にエラー処理の効率を高めることができる。
【０００６】
本考案の上述した特徴や長所をより明らかにするために、以下に、意図的に好ましい実施例を挙げて叙述し、また付随図面に合わせて以下のように詳細に説明する。
【図面の簡単な説明】
【０００７】
【図１】本考案に係る実施例における発光装置の模式図である。
【図２】本考案に係る実施例における複数の発光装置が互いに通信する他の模式図である。
【図３】本考案に係る実施例における照明システムの模式図である。
【考案を実施するための形態】
【０００８】
以下、図面を参照してより十分に各種の例示的な実施例を叙述し、図面で若干の例示的な実施例を示す。しかし、本考案の概念は多くの異なる形式によって具現化されてよく、本文に叙述された例示的な実施例に限定されて解釈すべきではない。確実に言えば、これら例示的な実施例は本考案をより詳細的かつ全面的に理解するためのものであり、かつ当業者に十分に本考案の概念のカテゴリを伝達するためのものである。各図面において、より明らかにするために、層および区の大きさおよび相対的大きさを誇張して描く。類似した数字は常に類似した素子を指す。
【０００９】
理解すべきことは、本文で第１、第２、第３等の術語を使用して各種の素子を描く可能性があるものの、これら素子がこれら術語に制限されるわけではない。これら術語は一方の素子と他方の素子を区別するために用いられる。従って、後述した第１素子が第２素子と呼ばれても本考案の概念の教示を逸脱することがない。本文に使用されているように、「および／または」という術語は関連する列挙項目のうちのいずれか及び一つまたは複数の組み合わせの全てを含む。
【００１０】
以下、少なくとも一つの実施例を利用し、そして図面に合わせて照明システムおよび発光装置を説明し、しかし、後述した実施例は本案の開示内容を制限するためのものではない。以下の叙述で、二つ以上の端点のある電子素子は特別な標記があれば、ピン標記をそのピンの叙述とし、特別な標記がなければ、横方向に設けられた両端点の電子素子は左側の端点を第１端とし、右側の端点を第２端とする。もし垂直に設けられた両端点の電子素子であれば、上側の端点を第１端とし、下側の端点を第２端とする。
〔本考案の照明システムおよび発光装置の実施例〕
【００１１】
図１を参照し、図１は本考案に係る実施例における発光装置の模式図である。第１発光装置１が第１序列駆動モジュール１０および第１照明器具モジュール１１を含む。
【００１２】
第１序列駆動モジュール１０が第１処理ユニット１０１、第１序列コントロールユニット１０２、第１駆動ユニット１０３、および第１電源ユニット１０４を含む。
【００１３】
その中で、第１処理ユニット１０１が第１電源ユニット１０４および第１序列コントロールユニット１０２と電気的に接続する。第１序列コントロールユニット１０２が第１駆動ユニット１０３と電気的に接続する。第１電源ユニット１０４が第１駆動ユニット１０３と電気的に接続する。
【００１４】
第１序列駆動モジュール１０が第１駆動ユニット１０３を通じて第１照明器具モジュール１１と電気的に接続する。
【００１５】
本実施例において、第１駆動ユニット１０３が少なくとも一つの定電流ドライバ（図示しない）を含み、つまり、第１照明器具モジュール１１が複数の発光ダイオードユニット（図示しない）および回路基板（図示しない）だけを含み、駆動回路を含むことがない。その中で、第１照明器具モジュール１１の複数の発光ダイオードユニット（図示しない）が回路基板（図示しない）に設けられ、電気的に前記第１駆動ユニット１０３と接続する。
【００１６】
ドライバがいずれも第１序列駆動モジュール１０に設けられている。つまり、照明器具モジュールの数量が実際の必要に応じて調整してよく、本考案に特別な制限がない。第１序列駆動モジュール１０の第１駆動ユニット１０３が照明器具モジュールの数量に対応して増加してよく、或いは照明器具モジュールの数量に応じて駆動能力を調整してよく、本考案に特別な制限がない。
【００１７】
本実施例において、電源ユニット１０４が交流／直流変換器または直流／直流変換器を含み、それが実際の需要に応じて調整・設計を行ってよく、本考案に特別な制限がない。
【００１８】
本実施例において、第１序列コントロールユニット１０２がＲＳ２３２コントローラーまたはＲＳ４８５コントローラーを含み、それが実際の需要に応じて調整・設計を行ってよく、本考案に特別な制限がない。本実施例において、第１序列コントロールユニット１０２はＲＳ２３２コントローラーである。
【００１９】
図２を参照し、図２は本考案に係る実施例における複数の発光装置が互いに通信する他の模式図である。
【００２０】
本実施例において、第１発光装置１、第２発光装置２、および第３発光装置３同士が第１通信経路Ｐ１および第２通信経路Ｐ２を通じて互いに通信する。
【００２１】
本実施例において、第１発光装置１が第１序列駆動モジュール１０および第１照明器具モジュール１１を含む。第２発光装置２が第２序列駆動モジュール２０および第２照明器具モジュール２１を含む。第３発光装置３が第３序列駆動モジュール３０および第３照明器具モジュール３１を含む。
【００２２】
上述したように、第１序列駆動モジュール１０が第１照明器具モジュール１１と電気的に接続する。第２序列駆動モジュール２０が第２照明器具モジュール２１と電気的に接続する。第３序列駆動モジュール３０が第３照明器具モジュール３１と電気的に接続する。
【００２３】
本実施例において、第１序列駆動モジュール１０が第１処理ユニット１０１、第１序列コントロールユニット１０２、第１駆動ユニット１０３、および第１電源ユニット１０４を含む。その中で、第１処理ユニット１０１が第１電源ユニット１０４および第１序列コントロールユニット１０２と電気的に接続する。第１序列コントロールユニット１０２が第１駆動ユニット１０３と電気的に接続する。第１電源ユニット１０４が第１駆動ユニット１０３と電気的に接続する。第１序列駆動モジュール１０が第１駆動ユニット１０３を通じて第１照明器具モジュール１１と電気的に接続する。
【００２４】
第２序列駆動モジュール２０が第２処理ユニット（図示しない）、第２序列コントロールユニット（図示しない）、第２駆動ユニット（図示しない）、および第２電源ユニット（図示しない）を含む。その中で、第２処理ユニット（図示しない）が第２電源ユニット（図示しない）および第２序列コントロールユニット（図示しない）と電気的に接続する。第２序列コントロールユニット（図示しない）が第２駆動ユニット（図示しない）と電気的に接続する。第２電源ユニット（図示しない）が第２駆動ユニット（図示しない）と電気的に接続する。第２序列駆動モジュール２０が第２駆動ユニット（図示しない）を通じて第２照明器具モジュール（図示しない）と電気的に接続する。
【００２５】
第３序列駆動モジュール３０が第３処理ユニット（図示しない）、第３序列コントロールユニット（図示しない）、第３駆動ユニット（図示しない）、および第３電源ユニット（図示しない）を含む。その中で、第３処理ユニット（図示しない）が第３電源ユニット（図示しない）および第３序列コントロールユニット（図示しない）と電気的に接続する。第３序列コントロールユニット（図示しない）が第３駆動ユニット（図示しない）と電気的に接続する。第３電源ユニット（図示しない）が第３駆動ユニット（図示しない）と電気的に接続する。第３序列駆動モジュール３０が第３駆動ユニット（図示しない）を通じて第３照明器具モジュール（図示しない）と電気的に接続する。
【００２６】
本実施例において、第１序列駆動モジュール１０の第１序列コントロールユニット１０２が第１ブルートゥース序列制御装置Ｂ１と電気的に接続する。第１序列駆動モジュール１０の第１序列コントロールユニット１０２が第１通信経路Ｐ１および第２通信経路Ｐ２を通じて第２序列駆動モジュール２０の第２序列コントロールユニット（図示しない）と電気的に接続する。第２序列駆動モジュール２０の第２序列コントロールユニット（図示しない）が第１通信経路Ｐ１および第２通信経路Ｐ２を通じて第３序列駆動モジュール３０の第３序列コントロールユニット（図示しない）と電気的に接続する。本実施例において、第１ブルートゥース序列制御装置Ｂ１がサーバ（図示しない）と通信接続する。
【００２７】
本実施例において、第１通信経路Ｐ１および第２通信経路Ｐ２がそれぞれ有線通信経路である。また、第１序列駆動モジュール１０、第２序列駆動モジュール２０、第３序列駆動モジュール３０が第１通信経路Ｐ１を通じて第１順序に従って信号を伝達してよい。本実施例において、第１順序が第１序列駆動モジュール１０、第２序列駆動モジュール２０、第３序列駆動モジュール３０の順に伝達する順序である。
【００２８】
さらに言えば、第１序列駆動モジュール１０、第２序列駆動モジュール２０、第３序列駆動モジュール３０が第２通信経路Ｐ２を通じて第２順序に従って信号を伝達してよい。本実施例において、第２順序が第３序列駆動モジュール３０、第２序列駆動モジュール２０、第１序列駆動モジュール１０の順に伝達する順序である。
【００２９】
上述したことによれば、第１順序および第２順序が逆の信号伝達順序であり、本実施例において、第１序列駆動モジュール１０、第２序列駆動モジュール２０、第３序列駆動モジュール３０が第１通信経路Ｐ１を通じて第１順序である信号伝達順序に従って第１タイプの信号を伝送してよい。第１序列駆動モジュール１０、第２序列駆動モジュール２０、第３序列駆動モジュール３０が第２通信経路Ｐ２を通じて第２順序である信号伝達順序に従って第２タイプの信号を伝送してよい。本実施例において、第１タイプの信号および第２タイプの信号が起動信号または調光信号であってよく、それが実際の需要に応じて調整してよく、本考案に特別な制限がない。
【００３０】
第１序列駆動モジュール１０、第２序列駆動モジュール２０、第３序列駆動モジュール３０の間の第１通信経路Ｐ１が遮断されると、第１序列駆動モジュール１０、第２序列駆動モジュール２０、第３序列駆動モジュール３０が第２通信経路Ｐ２を通じて信号伝達を行ってよい。さらに第１序列駆動モジュール１０、第２序列駆動モジュール２０、第３序列駆動モジュール３０が第２通信経路Ｐ２を通じてトラブル信号を伝送してもよい。ユーザがトラブル信号に基づいて回線の修整を行う。
【００３１】
同様に、第１序列駆動モジュール１０、第２序列駆動モジュール２０、第３序列駆動モジュール３０の間の第２通信経路Ｐ２が遮断されると、第１序列駆動モジュール１０、第２序列駆動モジュール２０、第３序列駆動モジュール３０が第１通信経路Ｐ１を通じて信号伝達を行う。さらに第１序列駆動モジュール１０、第２序列駆動モジュール２０、第３序列駆動モジュール３０が第１通信経路Ｐ１を通じてトラブル信号を伝送してもよい。ユーザがトラブル信号に基づいて回線の修整を行う。
【００３２】
例を挙げると、第２序列駆動モジュール２０、第３序列駆動モジュール３０の間の第１通信経路Ｐ１が遮断されると、第２序列駆動モジュール２０が第２序列駆動モジュール２０、第３序列駆動モジュール３０の第２通信経路Ｐ２を通じて信号を伝達してよい。第２序列駆動モジュール２０が第２通信経路Ｐ２を通じてトラブル信号を第１ブルートゥース序列制御装置Ｂ１に伝達し、ブルートゥース序列制御装置Ｂ１がトラブル信号をサーバ（図示しない）に伝送することにより、ユーザに通知する。ユーザがトラブル信号に基づいて回線の修整を行う。
【００３３】
図３を参照し、図３は本考案に係る実施例における照明システムの模式図である。
【００３４】
本実施例において、照明システムＬ１が第１発光装置グループＳ１、第２発光装置グループＳ２、および第３発光装置グループＳ３を含む。
【００３５】
第１発光装置グループＳ１が第１発光装置Ｓ１−１、第２発光装置Ｓ１−２、第３発光装置Ｓ１−３、第４発光装置Ｓ１−４、第５発光装置Ｓ１−５、第６発光装置Ｓ１−６、第７発光装置Ｓ１−７、第８発光装置Ｓ１−８、第９発光装置Ｓ１−９、および第１０発光装置Ｓ１−１０、第１１発光装置Ｓ１−１１、および第１２発光装置Ｓ１−１２を含む。
【００３６】
第２発光装置グループＳ２が第１発光装置Ｓ２−１、第２発光装置Ｓ２−２、第３発光装置Ｓ２−３、第４発光装置Ｓ２−４、第５発光装置Ｓ２−５、第６発光装置Ｓ２−６、第７発光装置Ｓ２−７、第８発光装置Ｓ２−８、第９発光装置Ｓ２−９、および第１０発光装置Ｓ２−１０、第１１発光装置Ｓ２−１１、および第１２発光装置Ｓ２−１２を含む。
【００３７】
第３発光装置グループＳ３が第１発光装置Ｓ３−１、第２発光装置Ｓ３−２、第３発光装置Ｓ３−３、第４発光装置Ｓ３−４、第５発光装置Ｓ３−５、第６発光装置Ｓ３−６、第７発光装置Ｓ３−７、第８発光装置Ｓ３−８、第９発光装置Ｓ３−９、第１０発光装置Ｓ３−１０、第１１発光装置Ｓ３−１１、および第１２発光装置Ｓ３−１２を含む。
【００３８】
第１発光装置グループＳ１の複数の発光装置Ｓ１−１〜Ｓ１−１２がそれぞれ第１通信経路Ｐ１および第２通信経路Ｐ２によって通信接続を行う。
【００３９】
つまり、第１発光装置グループＳ１の複数の発光装置Ｓ１−１〜Ｓ１−１２のそれぞれの序列駆動モジュール（図示しない）が第１通信経路Ｐ１および第２通信経路Ｐ２によって通信接続を行う。さらに言えば、第１発光装置グループＳ１の複数の発光装置Ｓ１−１〜Ｓ１−１２がそれぞれ第１通信経路Ｐ１、第２通信経路Ｐ２を通じて第１タイプの信号、第２タイプの信号を伝送してよい。
【００４０】
本実施例において、第１タイプの信号および第２タイプの信号が起動信号または調光信号であってもよく、それが実際の需要に応じて調整してよく、本考案に特別な制限がない。
【００４１】
また、第１発光装置グループＳ１の複数の発光装置Ｓ１−１〜Ｓ１−１２が第１通信経路Ｐ１を通じて第１順序に従って第１タイプの信号を伝送する。第１発光装置グループＳ１の複数の発光装置Ｓ１−１〜Ｓ１−１２が第２通信経路Ｐ２を通じて第２順序に従って第２タイプの信号を伝送する。
【００４２】
本実施例において、第１順序が第１発光装置Ｓ１−１の第１序列駆動モジュール（図示しない）、第２発光装置Ｓ１−２の第２序列駆動モジュール（図示しない）、第３発光装置Ｓ１−３の第３序列駆動モジュール（図示しない）、第４発光装置Ｓ１−４の第４序列駆動モジュール（図示しない）、第５発光装置Ｓ１−５の第５序列駆動モジュール（図示しない）、第６発光装置Ｓ１−６の第６序列駆動モジュール（図示しない）、第７発光装置Ｓ１−７の第７序列駆動モジュール（図示しない）、第８発光装置Ｓ１−８の第８序列駆動モジュール（図示しない）、第９発光装置Ｓ１−９の第９序列駆動モジュール（図示しない）、第１０発光装置Ｓ１−１０の第１０序列駆動モジュール（図示しない）、第１１発光装置Ｓ１−１１の第１１序列駆動モジュール（図示しない）、第１２発光装置Ｓ１−１２の第１２序列駆動モジュール（図示しない）の順に信号を伝達する順序である。
【００４３】
第２順序が第１２発光装置Ｓ１−１２の第１２序列駆動モジュール（図示しない）、第１１発光装置Ｓ１−１１の第１１序列駆動モジュール（図示しない）、第１０発光装置Ｓ１−１０の第１０序列駆動モジュール（図示しない）、第９発光装置Ｓ１−９の第９序列駆動モジュール（図示しない）、第８発光装置Ｓ１−８の第８序列駆動モジュール（図示しない）、第７発光装置Ｓ１−７の第７序列駆動モジュール（図示しない）、第６発光装置Ｓ１−６の第６序列駆動モジュール（図示しない）、第５発光装置Ｓ１−５の第５序列駆動モジュール（図示しない）、第４発光装置Ｓ１−４の第４序列駆動モジュール（図示しない）、第３発光装置Ｓ１−３の第３序列駆動モジュール（図示しない）、第２発光装置Ｓ１−２の第２序列駆動モジュール（図示しない）、第１発光装置Ｓ１−１の第１序列駆動モジュール（図示しない）の順に信号を伝達する順序である。
【００４４】
本実施例において、発光装置の数量および示された符号が実際の需要に応じて調整・設計を行ってよく、本考案に特別な制限がない。
【００４５】
図３に示すように、発光装置グループごとの複数の発光装置がリング状方式によって互いに通信接続を行い、つまり第１発光装置Ｓ１−１の第１序列駆動モジュール（図示しない）が第１２発光装置Ｓ１−１２の第１２序列駆動モジュール（図示しない）と電気的に接続する。つまり、本実施例において、第１発光装置Ｓ１−１の間の通信接続方式が循環式という通信接続方式によって行う。そして、第１発光装置グループＳ１は通信経路（第１通信経路Ｐ１、第２通信経路Ｐ２）が二つあり、かつ伝達方向が異なるため、第１発光装置グループＳ１の複数の発光装置Ｓ１−１〜Ｓ１−１２が二つの循環のある通信接続方式によって行う。
【００４６】
他の実施例において、第１発光装置Ｓ１−１の第１序列駆動モジュール（図示しない）が第１２発光装置Ｓ１−１２の第１２序列駆動モジュール（図示しない）と電気的に接続しなくてもよい。つまり、第１発光装置グループＳ１の複数の発光装置Ｓ１−１〜Ｓ１−１２が開放式という通信接続方式を採用するものである。
【００４７】
本実施例において、第１発光装置Ｓ１−１から第１２発光装置Ｓ１−１２の間の第１通信経路Ｐ１が遮断されると、第１発光装置Ｓ１−１から第１２発光装置Ｓ１−１２が第２通信経路Ｐ２を通じて信号伝達を行ってよい。さらに第１発光装置Ｓ１−１から第１２発光装置Ｓ１−１２が第２通信経路Ｐ２を通じてトラブル信号を第１ブルートゥース序列制御装置Ｂ１に伝送してよい。第１ブルートゥース序列制御装置Ｂ１がトラブル信号をサーバ（図示しない）に伝送することにより、ユーザに通知する。ユーザがトラブル信号に基づいて回線の修整を行う。
【００４８】
本実施例において、第１発光装置Ｓ１−１から第１２発光装置Ｓ１−１２の間の第２通信経路Ｐ２が遮断されると、第１発光装置Ｓ１−１から第１２発光装置Ｓ１−１２が第１通信経路Ｐ１を通じて信号伝達を行う。さらに第１発光装置Ｓ１−１から第１２発光装置Ｓ１−１２が第１通信経路Ｐ１を通じてトラブル信号を第１ブルートゥース序列制御装置Ｂ１に伝送してよい。第１ブルートゥース序列制御装置Ｂ１がトラブル信号をサーバ（図示しない）に伝送することにより、ユーザに通知する。ユーザがトラブル信号に基づいて回線の修整を行う。
【００４９】
本実施例において、第２発光装置グループＳ２の複数の発光装置Ｓ２−１〜Ｓ２−１２、第３発光装置グループＳ３の複数の発光装置Ｓ３−１〜Ｓ３−１２の構造、通信接続方式がともに第１発光装置グループＳ１の複数の発光装置Ｓ１−１〜Ｓ１−１２と同様であり、ここで叙述する必要がない。
【００５０】
本実施例において、第１発光装置グループＳ１の第１１発光装置Ｓ１−１１の第１１序列駆動モジュール（図示しない）が第１通信経路Ｐ１によって第２発光装置グループＳ２の第３発光装置Ｓ２−３の第３序列駆動モジュール（図示しない）と通信接続する。第２発光装置グループＳ２の第７発光装置Ｓ２−７の第７序列駆動モジュール（図示しない）が第１通信経路Ｐ１によって第３発光装置グループＳ３の第１１発光装置Ｓ３−１１の第１１序列駆動モジュール（図示しない）と通信接続する。第３発光装置グループＳ３の第４発光装置Ｓ３−４の第４序列駆動モジュール（図示しない）が第１通信経路Ｐ１によって第１発光装置グループＳ１の第６発光装置Ｓ１−６の第６序列駆動モジュール（図示しない）と通信接続する。
【００５１】
本実施例において、第１発光装置グループＳ１の第８発光装置Ｓ１−８の第８序列駆動モジュール（図示しない）が第２通信経路Ｐ２によって第３発光装置グループＳ３の第２発光装置Ｓ３−２の第２序列駆動モジュール（図示しない）と通信接続する。第３発光装置グループＳ３の第１発光装置Ｓ３−１の第１序列駆動モジュール（図示しない）が第２通信経路Ｐ２によって第２発光装置グループＳ２の第５発光装置Ｓ２−５の第５序列駆動モジュール（図示しない）と通信接続する。第２発光装置グループＳ２の第５発光装置Ｓ２−５の第５序列駆動モジュール（図示しない）が第２通信経路Ｐ２によって第１発光装置グループＳ１の第９発光装置Ｓ１−９の第９序列駆動モジュール（図示しない）と通信接続する。
【００５２】
つまり、発光装置グループの間は先に述べられた発光装置グループの各発光装置と通信接続方式が同様であってもよく、第１通信経路Ｐ１、第２通信経路Ｐ２を備え、それらがそれぞれ異なる信号を伝達する。
【００５３】
また、本実施例において、第１発光装置グループＳ１、第２発光装置グループＳ２、第３発光装置グループＳ３の間の第１通信経路Ｐ１が遮断されると、第１発光装置グループＳ１、第２発光装置グループＳ２、第３発光装置グループＳ３が第２通信経路Ｐ２を通じて信号伝達を行ってよい。さらに、第１発光装置グループＳ１、第２発光装置グループＳ２、第３発光装置グループＳ３が第２通信経路Ｐ２を通じてトラブル信号を第１ブルートゥース序列制御装置Ｂ１に伝送してよい。第１ブルートゥース序列制御装置Ｂ１がトラブル信号をサーバ（図示しない）に伝送することにより、ユーザに通知する。ユーザがトラブル信号に基づいて回線の修整を行ってよい。
【００５４】
また、本実施例において、第１発光装置グループＳ１、第２発光装置グループＳ２、第３発光装置グループＳ３の間の第２通信経路Ｐ２が遮断されると、第１発光装置グループＳ１、第２発光装置グループＳ２、第３発光装置グループＳ３が第１通信経路Ｐ１を通じて信号伝達を行ってよい。さらに、第１発光装置グループＳ１、第２発光装置グループＳ２、第３発光装置グループＳ３が第１通信経路Ｐ１を通じてトラブル信号を第１ブルートゥース序列制御装置Ｂ１に伝送してよい。第１ブルートゥース序列制御装置Ｂ１がトラブル信号をサーバ（図示しない）に伝送することにより、ユーザに通知する。ユーザがトラブル信号に基づいて回線の修整を行ってよい。
【００５５】
本実施例において、第１発光装置グループＳ１、第２発光装置グループＳ２、第３発光装置グループＳ３が異なる領域に設けられ、これらが同一の領域に設けられてもよく、本考案に特別な制限がない。また、発光装置グループの数量が実際の需要に応じて調整・設計を行ってよく、本考案に特別な制限がない。
〔実施例の産業上の利用可能性〕
【００５６】
以上のように、本考案は発光装置の序列コントロールユニットによって通信接続を行い、また通信経路が二つ設けられている。もし一つの通信経路が遮断され或いは損害されれば、もう一つの通信経路がこれにかわって使用可能であり、また有効にエラー処理の効率を高めることができる。
【００５７】
以上は本考案の実施例にすぎず、本考案の請求範囲を制限するものではない。
【符号の説明】
【００５８】
１、Ｓ１−１、Ｓ２−１、Ｓ３−１    第１発光装置
２、Ｓ１−２、Ｓ２−２、Ｓ３−２    第２発光装置
３、Ｓ１−３、Ｓ２−３、Ｓ３−３    第３発光装置
Ｂ１    第１ブルートゥース序列制御装置
１０    第１序列駆動モジュール
１１    第１照明器具モジュール
２０    第２序列駆動モジュール
２１    第２照明器具モジュール
３０    第３序列駆動モジュール
３１    第３照明器具モジュール
１０１    第１処理ユニット
１０２    第１序列コントロールユニット
１０３    第１駆動ユニット
１０４    第１電源ユニット
Ｌ１    照明システム
Ｓ１    第１発光装置グループ
Ｓ２    第２発光装置グループ
Ｓ３    第３発光装置グループ
Ｓ１−４、Ｓ２−４、Ｓ３−４    第４発光装置
Ｓ１−５、Ｓ２−５、Ｓ３−５    第５発光装置
Ｓ１−６、Ｓ２−６、Ｓ３−６    第６発光装置
Ｓ１−７、Ｓ２−７、Ｓ３−７    第７発光装置
Ｓ１−８、Ｓ２−８、Ｓ３−８    第８発光装置
Ｓ１−９、Ｓ２−９、Ｓ３−９    第９発光装置
Ｓ１−１０、Ｓ２−１０、Ｓ３−１０    第１０発光装置
Ｓ１−１１、Ｓ２−１１、Ｓ３−１１    第１１発光装置
Ｓ１−１２、Ｓ２−１２、Ｓ３−１２    第１２発光装置
Ｐ１    第１通信経路
Ｐ２    第２通信経路
【図１】
0003222388.tif 000003
【図２】
0003222388.tif 000004
【図３】
0003222388.tif 000005
【手続補正書】
【提出日】令和1年5月7日(2019.5.7)
【手続補正１】
【補正対象書類名】実用新案登録請求の範囲
【補正対象項目名】全文
【補正方法】変更
【補正の内容】
【実用新案登録請求の範囲】
【請求項１】
複数の発光装置を含み、前記発光装置ごとに少なくとも一つの序列コントロールユニットを含む、第１発光装置グループと、
複数の発光装置を含み、前記発光装置ごとに少なくとも一つの序列コントロールユニットを含む、第２発光装置グループと、
前記第１発光装置グループにおける前記複数の発光装置の前記複数の序列コントロールユニットと電気的に接続し、前記第２発光装置グループにおける前記複数の発光装置の前記複数の序列コントロールユニットと電気的に接続するブルートゥース序列制御装置と、
を含み、
前記第１発光装置グループにおける前記複数の発光装置の前記複数の序列コントロールユニットの任意の一つと、前記第２発光装置グループの前記複数の発光装置の前記複数の序列コントロールユニットの任意の一つと、が通信できるように接続されて、前記第１発光装置グループと前記第２発光装置グループとの間の通信経路が形成され、
前記第１発光装置グループと、前記第２発光装置グループと、の間に、少なくとも第１通信経路と第２通信経路とされる２つの前記通信経路がそれぞれ形成される、ことを特徴とする、照明システム。
【請求項２】
前記第１発光装置グループおよび前記第２発光装置グループのそれぞれにおける前記複数の発光装置の前記序列コントロールユニットが、前記第１通信経路および前記第２通信経路によって通信を行う、請求項１に記載の照明システム。
【請求項３】
前記第１発光装置グループおよび前記第２発光装置グループにおける前記複数の発光装置は、循環方式によって通信接続を行う、請求項１に記載の照明システム。
【請求項４】
前記発光装置ごとに、
前記序列コントロールユニットと電気的に接続される処理ユニットと、前記序列コントロールユニットと電気的に接続される駆動ユニットと、処理ユニット及び駆動ユニットに電気的に接続される電源ユニットとを含む、序列駆動モジュールと、
複数の発光ダイオードユニットおよび回路基板を含む照明器具モジュールと、
をさらに含み、
前記照明器具モジュールは、前記駆動ユニットに電気的に接続される、請求項１に記載の照明システム。
【手続補正２】
【補正対象書類名】明細書
【補正対象項目名】０００４
【補正方法】変更
【補正の内容】
【０００４】
上述した事情に鑑みて、本考案は照明システムを提供する。該照明システムは、複数の発光装置を含み、発光装置ごとに少なくとも一つの序列コントロールユニットを含む第１発光装置グループと、複数の発光装置を含み、発光装置ごとに少なくとも一つの序列コントロールユニットを含む第２発光装置グループと、およびブルートゥース序列制御装置と、を含む。ブルートゥースは登録商標である。前記第１発光装置グループの前記複数の発光装置の前記複数の序列コントロールユニットが前記ブルートゥース序列制御装置を電気的に接続し、前記第２発光装置グループの前記複数の発光装置の前記複数の序列コントロールユニットが前記ブルートゥース序列制御装置と電気的に接続する。前記第１発光装置グループにおける前記複数の発光装置の前記複数の序列コントロールユニットの任意の一つと、前記第２発光装置グループの前記複数の発光装置の前記複数の序列コントロールユニットの任意の一つと、が通信できるように接続されて、前記第１発光装置グループと前記第２発光装置グループとの間の通信経路が形成される。前記第１発光装置グループと、前記第２発光装置グループと、の間に、少なくとも第１通信経路と第２通信経路とされる２つの前記通信経路がそれぞれ形成される。